(57)【要約】【課題】左右いずれの部位でも測定することのできる電子血圧計において、毎回同じ部位で測定可能にすること。【解決手段】電子血圧計は、測定前に、ＩＤカードより読取られた患者ＩＤおよび推奨部位情報を取得する。これにより、複数の被測定者のうち対象の被測定者（患者ＩＤ）を特定し、かつ、左部位および右部位のうちカフに装着すべき部位を表わす推奨部位を特定する（ステップＳ２）。その後、特定された推奨部位を被測定者に報知することにより、カフに装着すべき部位を案内する（ステップＳ４）。【選択図】図４
2010119639.tif 000002
【特許請求の範囲】
【請求項１】
左右いずれの部位でも血圧を測定することのできる電子血圧計であって、
左部位または右部位に装着するためのカフと、
測定前に、複数の被測定者のうち対象の被測定者を特定し、かつ、前記左部位および前記右部位のうち前記カフに装着すべき部位を表わす推奨部位を特定するための特定処理手段と、
前記特定処理手段により特定された前記推奨部位を報知することにより、前記カフに装着すべき部位を案内するための報知手段とを備える、電子血圧計。
【請求項２】
前記カフに装着された部位が前記左部位および前記右部位のいずれであるかを検出するための検出手段と、
前記特定処理手段により特定された前記推奨部位と前記検出手段による検出結果とを比較することにより、前記装着された部位が前記推奨部位と一致しているか否かを判断するための判断手段とをさらに備え、
前記報知手段は、さらに、前記判断手段による判断結果を報知する、請求項１に記載の電子血圧計。
【請求項３】
前記報知手段は、前記判断手段により一致していないと判断された場合に、前記装着された部位と反対の部位を前記カフに装着すべき旨の情報を報知する、請求項２に記載の電子血圧計。
【請求項４】
前記判断手段は、測定開始の指示を受付けるまでの間、前記装着された部位が前記推奨部位と一致しているか否かを判断し、
前記報知手段は、前記測定開始の指示を受付けるまでの間、一致の有無を報知する、請求項２または３のいずれかに記載の電子血圧計。
【請求項５】
前記測定開始の指示を受付けた場合に、前記カフ内の圧力を調整することにより血圧を測定するための処理を行なう測定処理手段と、
前記測定処理手段により測定された前記血圧値を、特定された前記対象の被測定者と関連付けて記憶するための記憶手段とをさらに備える、請求項２〜４のいずれかに記載の電子血圧計。
【請求項６】
前記記憶手段は、前記測定処理手段による処理の際に前記カフに装着されていた部位が、前記推奨部位であったか否かを識別するための識別情報を、前記血圧値に対応付けて記憶する、請求項５に記載の電子血圧計。
【請求項７】
前記測定処理手段による測定結果を出力するための制御を行なう出力制御手段をさらに備え、
前記出力制御手段は、前記識別情報に基づいて、前記推奨部位により測定されたか否かを特定するための情報を前記測定結果と関連付けて出力する、請求項６に記載の電子血圧計。
【請求項８】
予め記録媒体に記録された前記被測定者を特定するための情報および前記推奨部位の情報を読取るための読取手段をさらに備え、
前記特定処理手段は、前記読取手段が読取った情報に基づいて、前記対象の被測定者および前記推奨部位を特定する、請求項１〜７のいずれかに記載の電子血圧計。
【請求項９】
前記報知手段は、表示手段および音声出力手段のうちの少なくとも一方を含む、請求項１〜８のいずれかに記載の電子血圧計。
【発明の詳細な説明】
【技術分野】
【０００１】
本発明は、電子血圧計に関し、特に、左右いずれの部位でも血圧を測定することのできる電子血圧計に関する。
【背景技術】
【０００２】
従来より、左右いずれの部位でも測定することのできる電子血圧計が存在するが、部位の左右の違いにより測定精度に誤差を含む場合があることが判明している。
【０００３】
そこで、たとえば特許文献１，２には、左右どちらの腕で測定したかを判定し、その結果を血圧値と関連付けて表示や印刷を行なうことが開示されている。これにより、血圧値の変化が、左右の違いによる誤差かどうかを判断することができる。
【０００４】
一方で、従来より、正しい測定姿勢に導いてから測定を開始する電子血圧計が存在する。たとえば特許文献３には、測定部位と心臓位置とのずれを算出し、両者の位置が一致するように誘導報知することが開示されている。
【特許文献１】特開２００７−１８５２３３号公報
【特許文献２】特開平１１−３４２１１７号公報
【特許文献３】特開２００７−５４６４８号公報
【発明の開示】
【発明が解決しようとする課題】
【０００５】
上記特許文献１，２のように、左右どちらの腕で測定したかが血圧値と関連付けて表示等されたとしても、どちらかに統一して測定しなければ血圧の適切な管理をすることができない。または、医師により特定方の腕で測定するよう告げられているにもかかわらず、逆の方の腕で測定すると、適切な診断の妨げにもなり得る。
【０００６】
また、上記特許文献３のように、正しい測定姿勢に導くことのできる血圧計は存在するが、左右どちらの部位で測定すべきかを案内する電子血圧計は存在しない。
【０００７】
本発明は、上記のような問題を解決するためになされたものであって、その目的は、左右いずれの部位でも測定することのできる電子血圧計において、毎回同じ部位で測定可能にすることである。
【課題を解決するための手段】
【０００８】
この発明のある局面に従う電子血圧計は、左右いずれの部位でも血圧を測定することのできる電子血圧計であって、左部位または右部位に装着するためのカフと、測定前に、複数の被測定者のうち対象の被測定者を特定し、かつ、左部位および右部位のうちカフに装着すべき部位を表わす推奨部位を特定するための特定処理手段と、特定処理手段により特定された推奨部位を報知することにより、カフに装着すべき部位を案内するための報知手段とを備える。
【０００９】
好ましくは、カフに装着された部位が左部位および右部位のいずれであるかを検出するための検出手段と、特定処理手段により特定された推奨部位と検出手段による検出結果とを比較することにより、装着された部位が推奨部位と一致しているか否かを判断するための判断手段とをさらに備え、報知手段は、さらに、判断手段による判断結果を報知する。
【００１０】
好ましくは、報知手段は、判断手段により一致していないと判断された場合に、装着された部位と反対の部位をカフに装着すべき旨の情報を報知する。
【００１１】
好ましくは、判断手段は、測定開始の指示を受付けるまでの間、装着された部位が推奨部位と一致しているか否かを判断し、報知手段は、測定開始の指示を受付けるまでの間、一致の有無を報知する。
【００１２】
好ましくは、測定開始の指示を受付けた場合に、カフ内の圧力を調整することにより血圧を測定するための処理を行なう測定処理手段と、測定処理手段により測定された血圧値を、特定された対象の被測定者と関連付けて記憶するための記憶手段とをさらに備える。
【００１３】
好ましくは、記憶手段は、測定処理手段による処理の際にカフに装着されていた部位が、推奨部位であったか否かを識別するための識別情報を、血圧値に対応付けて記憶する。
【００１４】
好ましくは、測定処理手段による測定結果を出力するための制御を行なう出力制御手段をさらに備え、出力制御手段は、識別情報に基づいて、推奨部位により測定されたか否かを特定するための情報を測定結果と関連付けて出力する。
【００１５】
好ましくは、予め記録媒体に記録された被測定者を特定するための情報および推奨部位の情報を読取るための読取手段をさらに備え、特定処理手段は、読取手段が読取った情報に基づいて、対象の被測定者および推奨部位を特定する。
【００１６】
好ましくは、報知手段は、表示手段および音声出力手段のうちの少なくとも一方を含む。
【発明の効果】
【００１７】
本発明によると、カフに装着すべき部位が左部位か右部位かが案内される。したがって、被測定者は毎回同じ部位で測定することができる。その結果、診断に有用な血圧の測定結果を得ることができる。
【発明を実施するための最良の形態】
【００１８】
本発明の実施の形態について図面を参照しながら詳細に説明する。なお、図中同一または相当部分には同一符号を付してその説明は繰返さない。
【００１９】
本実施の形態における電子血圧計（以下「血圧計」と略す）は、左右いずれの部位でも血圧を測定することができる。
【００２０】
（外観および構成について）
はじめに、本発明の実施の形態における血圧計の外観および構成例について説明する。
【００２１】
図１は、本発明の実施の形態における血圧計１００を右斜め上方から見た場合の外観を示す斜視図である。
【００２２】
図１に示すように、本実施の形態における血圧計１００は、机等の載置台に載置される本体部１１０と、被験者の上腕が挿入される中空開口部１５０を有する生体挿入部１４０とを主に備えている。本体部１１０は、第１の筐体である本体部ケーシング１１２によって覆われており、生体挿入部１４０は、第２の筐体である生体挿入部ケーシング１４２によって覆われている。
【００２３】
本体部１１０の上面の所定位置には、被験者が測定姿勢をとった際に肘を載置するための肘置き１１９が設けられている。この肘置き１１９は、たとえば本体部ケーシング１１２の上面に凹部を設けることによって構成される。
【００２４】
生体挿入部１４０の上面には、被験者からの指示を受付けるための操作部１１４と、測定結果や操作ガイド等を表示するための表示部１１６が配置されている。操作部１１４は、電源の投入に用いられる電源ボタン、測定動作を開始させるための測定ボタン、表示部１１６の操作を行なうボタンなどを含む。
【００２５】
生体挿入部１４０は、回転軸を含む回転連結機構によって本体部１１０に対して回転自在に連結されている。具体的には、本体部１１０の被験者側に位置する前方端寄りの本体部ケーシング１１２内に配置された回転軸によって、本体部ケーシング１１２と生体挿入部ケーシング１４２とが回転自在に連結されている。
【００２６】
生体挿入部１４０は、略円筒状の生体挿入部ケーシング１４２の内周面上に配置されたカフ１４６と、カフ１４６を覆うように生体挿入部ケーシング１４２に取付けられたカフカバー１４８とを備える。
【００２７】
また、生体挿入部ケーシング１４２の前面１４２Ａであって、中空開口部１５０の近傍の所定位置には、人体検出センサ１６０が配置されている。本実施の形態では、人体検出センサ１６０は、たとえば、中空開口部１５０の左上の位置に配置される。このような位置に人体検出センサ１６０が配置されることにより、右腕が挿入されたか左腕が挿入されたかを判別することができる。つまり、測定の際に、人体検出センサ１６０により人体の存在が検出された場合、カフ１４６に装着された部位（以下「装着部位」という）は右腕と判断され、人体検出センサ１６０により人体の存在が検出されなければ、装着部位は左腕と判断される。
【００２８】
なお、人体検出センサ１６０の配置位置は、右腕か左腕かが判別できればこのような位置に限定されない。たとえば、生体挿入部ケーシング１４２の前面１４２Ａの左側と右側との両方に、人体検出センサ１６０を配置してもよい。
【００２９】
また、人体検出センサ１６０は、たとえば１対の光電センサであるものとするが、人体が所定範囲内に存在するか否かを検出できれば、特に限定されない。
【００３０】
本実施の形態における血圧計１００は、たとえば病院内に設置され、患者（被測定者）を識別（特定）する機能を有している。そのため、血圧計１００は、たとえば、記録媒体たとえばＩＤカードに記録された被測定者関連情報を読取るためのカードリーダ２１０、および、カードリーダ２１０と本体部１１０とを電気的に接続するための配線２１２をさらに備える。上述の被測定者関連情報については後述する。カードリーダ２１０は、ＩＤカードを挿入するための挿入部２１０Ａを有する。
【００３１】
なお、本実施の形態では、血圧計１００は、図１に示されるように据え置き型であるものとするが、携帯型であってもよい。また、測定対象の部位は腕であることとするが、手首など左右の両方が存在すれば他の部位であってもよい。
【００３２】
図２は、本発明の実施の形態における血圧計１００の構成を示すハードウェアブロック図である。
【００３３】
図２に示すように、血圧計１００は、上述した操作部１１４、表示部１１６および人体検出センサ１６０に加え、カフ１４６に内蔵されている空気袋１５２と、空気袋１５２の内腔の圧力（以下「カフ圧」という）を検知する圧力センサ１２３と、圧力センサ１２３により検出された信号を増幅するための増幅器１２６と、増幅されたアナログ信号をデジタル信号に変換するためのＡ／Ｄコンバータ１２７と、カフ圧のレベルを調整するためのエアポンプ１２１およびエアバルブ１２２と、エアポンプ１２１を駆動するエアポンプ駆動回路１２４と、エアバルブ１２２の開閉度合を調整するためのエアバルブ駆動回路１２５と、各部を集中的に制御および監視するためのＣＰＵ（Central Processing Unit）１２８と、各種データおよびプログラムが格納されるメモリ１２９と、計時動作して計時データを出力するタイマ１３０と、電源部１３２と、音声を出力するための音声出力部１１８と、測定結果等を紙媒体に印刷するためのプリント部１６２と、カードリーダ２１０が読取った情報を入力するため入力Ｉ／Ｆ（インターフェイス）１６４とを備える。入力Ｉ／Ｆ１６４が入力した情報は、ＣＰＵ１２８に与えられる。
【００３４】
上述のように、空気袋１５２は、エアポンプ１２１と、エアバルブ１２２と、圧力センサ１２３とを含むエア系１２０に、エアチューブ１５４によって接続されている。
【００３５】
ＣＰＵ１２８は、Ａ／Ｄコンバータ１２７、エアポンプ駆動回路１２４、エアバルブ駆動回路１２５、メモリ１２９、表示部１１６、操作部１１４、タイマ１３０、電源部１３２、人体検出センサ１６０、プリント部１６２、入力Ｉ／Ｆ１６４と接続されている。
【００３６】
本実施の形態の血圧計１００においては、たとえば、空気袋１５２、操作部１１４、表示部１１６、音声出力部１１８、人体検出センサ１６０を除くすべてのデバイスが本体部１１０に設けられており、本体部ケーシング１１２内に収容されている。空気袋１５２と、エアポンプ１２１、エアバルブ１２２および圧力センサ１２３とは、フレキシブルなエアチューブによって接続されている。また、操作部１１４，表示部１１６，音声出力部１１８，人体検出センサ１６０とＣＰＵ１２８とは、フレキシブルな信号線によって接続されている。このようにフレキシブルなエアチューブおよび信号線を用いて本体部ケーシング内に収容されたデバイスと生体挿入部ケーシング１４２内に収容されたデバイスとを接続することにより、生体挿入部ケーシング１４２の回転移動に追従しつつ、エアの注入および排出あるいは信号の送受信が行なえるようになる。
【００３７】
なお、血圧計１００は、警告音等を発するためのブザーをさらに備えていてもよい。
図３は、本発明の実施の形態における血圧計１００の機能構成を示す機能ブロック図である。なお、図３には、説明を簡単にするために、ＣＰＵ１２８の有する各部との間で直接的に信号を授受する周辺のハードウェアのみ示されている。
【００３８】
図３を参照して、血圧計１００は、その機能として、特定処理部１０と、報知処理部１２と、判断部１４と、測定処理部１６と、格納処理部１８と、出力制御部２０とを有する。
【００３９】
特定処理部１０は、測定前に、複数の被測定者のうち対象の被測定者を特定し、かつ、左腕（左部位）および右腕（右部位）のうちカフ１４６に装着すべき部位（以下「推奨部位」という）を特定する。具体的には、たとえば次のようにして対象の被測定者および推奨部位を特定する。すなわち、被測定者は、自身が保持しているＩＤカード２２０をカードリーダ２１０の挿入部２１０Ａに通すと、カードリーダ２１０は、ＩＤカード２２０に予め記録された被測定者関連情報、すなわち被測定者を特定するための情報および推奨部位の情報を読出す。「被測定者を特定するための情報」とは、たとえば患者ＩＤである。「推奨部位の情報」は、部位の左右を識別するための左右識別情報であり、左または右を示している。なお、このような推奨部位の情報は、医師などの医療従事者によってＩＤカードに記録されているものとする。たとえば、人工透析をしている被測定者であれば、透析をしていない方の部位が、推奨部位として記録される。ＩＤカードへのこのような情報の記録は、公知の手法で実行されてよい。
【００４０】
カードリーダ２１０によって読出された被測定者関連情報が、入力Ｉ／Ｆ１６４を介して特定処理部１０に出力される。特定処理部１０は、受け取った被測定者関連情報に基づいて、対象の被測定者および推奨部位を特定する。
【００４１】
なお、本実施の形態では、ＩＤカード２２０を利用して被測定者を特定することとするが、限定的ではない。たとえば、ユーザによる患者ＩＤの入力によって、被測定者を特定してもよい。この場合、メモリ１２９内の所定の領域には、各患者ＩＤと対応付けて、推奨部位の情報が予め記憶されているものとする。
【００４２】
報知処理部１２は、特定処理部１０により特定された推奨部位を報知する処理を行なう。これにより、被測定者に、装着（挿入）すべき腕が案内される。報知処理部１２はまた、後述する判断部１４による判断結果をさらに報知する処理を行なう。報知処理部１２は、判断部１４により一致していないと判断された場合に、推奨部位と反対の部位をカフ１４６に装着すべき旨の情報を報知する。
【００４３】
報知処理部１２による報知の方法としては、たとえば、表示によるものであっても音声出力によるものであってもよい。
【００４４】
判断部１４は、人体検出センサ１６０からの信号に基づいて、装着部位を判断する。また、特定処理部１０により特定された推奨部位と人体検出センサ１６０による検出結果とを比較することにより、装着部位が推奨部位と一致しているか否かを判断する。判断部１４は、測定開始の指示を受付けるまでの間、装着部位が推奨部位と一致しているか否かを判断する。これにより、測定開始の指示を受付けるまでの間、報知処理部１２によって、部位の一致／不一致が報知される。
【００４５】
測定処理部１６は、測定開始の指示を受付けた場合に、カフ１４６内の圧力を調整することにより血圧を測定するための処理を行なう。測定処理部１６による処理は、公知の手法により実現されてよい。測定処理部１６は、エアポンプ駆動回路１２４、エアバルブ駆動回路１２５およびＡ／Ｄコンバータ１２７と接続され、たとえば、オシロメトリック法により最高血圧および最低血圧を測定する。
【００４６】
格納処理部１８は、測定処理部１６により測定された血圧値を、特定された対象の被測定者と関連付けて結果記憶部１２９Ａに格納する。その際に、測定処理部１６による処理の際にカフ１４６に装着されていた部位が、推奨部位であったか否かを識別するための識別情報を、血圧値に対応付けて格納することが好ましい。結果記憶部１２９Ａは、メモリ１２９に含まれる。メモリ１２９は、不揮発性のメモリ、たとえばフラッシュメモリであってよい。
【００４７】
なお、本実施の形態では、測定結果は血圧計１００内のメモリ１２９に記録されることとするが限定的ではない。患者ＩＤ（被測定者の識別情報）と対応付けられて測定結果が記憶されれば、たとえば、駆動装置（図示せず）によって着脱式の記録媒体に記録されてもよいし、ネットワーク（図示せず）を介して外部のコンピュータに送信されてもよい。
【００４８】
出力制御部２０は、測定処理部１６による測定結果を出力するための制御を行なう。その際に、上記識別情報に基づいて、推奨部位により測定されたか否かを特定するための情報を測定結果と関連付けて出力することが好ましい。
【００４９】
出力制御部２０による出力の方法は、表示によるものであっても印刷によるものであってもよい。
【００５０】
なお、上記機能ブロックの動作は、メモリ１２９中に格納されたソフトウェアを実行することで実現されてもよいし、少なくとも１つについては、ハードウェアで実現されてもよい。
【００５１】
（動作および表示例について）
次に、本発明の実施の形態における血圧計１００の具体的な動作および表示例について説明する。
【００５２】
図４は、本発明の実施の形態における血圧計１００においてたとえば電源が投入された場合に実行される処理（以下「血圧測定・記録処理」という）を示すフローチャートである。なお、図４のフローチャートに示す処理は、予めプログラムとしてメモリ１２９に格納されており、ＣＰＵ１２８がこのプログラムを読出して実行することにより血圧測定・記録処理の機能が実現される。
【００５３】
図４を参照して、電源が投入されると、ＣＰＵ１２８は、はじめに、患者ＩＤおよび推奨部位（左腕または右腕）を特定する（ステップＳ２）。具体的には、カードリーダ２１０がＩＤカード２２０より読取った患者ＩＤおよび推奨部位情報を、入力Ｉ／Ｆ１６４を介して取得する。これにより、患者ＩＤで識別される被測定者の推奨部位が特定される。特定された患者ＩＤおよび推奨部位の情報は、内部メモリに一時記録される。
【００５４】
次に、ＣＰＵ１２８は、推奨部位を報知する（ステップＳ４）。具体的には、推奨部位すなわち装着すべき部位が左腕であるか右腕であるかを表示する。推奨部位の表示例を図５に示す。
【００５５】
図５を参照して、たとえば推奨部位が左腕であった場合、表示部１１６には、たとえば「左腕を挿入して下さい」というメッセージが表示される。
【００５６】
次に、判断部１４は、人体検出センサ１６０からの信号に基づいて、人体が検出されたか否かを判断する（ステップＳ６）。人体が検出されたと判断された場合（ステップＳ６においてＹＥＳ）、装着部位は右腕と判定する（ステップＳ８）。一方、人体が検出されなかった場合（ステップＳ６においてＮＯ）、装着部位は左腕と判定する（ステップＳ１０）。
【００５７】
続いて、判断部１４は、装着部位が推奨部位と一致しているか否かを判断する（ステップＳ１２）。一致していると判断された場合（ステップＳ１２においてＹＥＳ）、ステップＳ１６に進む。一方、一致していないと判断された場合（ステップＳ１２においてＮＯ）、報知処理部１２は、装着部位と反対の腕を挿入するよう報知する（ステップＳ１４）。具体的には、たとえば図６に示すような画面を表示部１１６に表示する。
【００５８】
図６を参照して、表示部１１６には、「反対の腕を挿入して下さい」というメッセージが表示される。これにより、被測定者は、挿入した腕が間違っていることを認識することができ、測定に適切な方の腕に装着しなおすことができる。なお、人工透析をしていない者など健常な被測定者であっても、左右のいずれで測定すべきかが案内されることで、左右の違いによる誤差を解消することができる。
【００５９】
なお、ステップＳ１４において、図６のような表示とともに／または代えて、音声出力部１１８により上述のようなメッセージを音声出力してもよい。あるいは、ブザーにて警告音を発するようにしてしてもよい。
【００６０】
ステップＳ１４の処理が終わると、ステップＳ１６に進む。
ステップＳ１６において、ＣＰＵ１２８は、ユーザ（代表的に、被測定者）より測定開始の指示が入力されたか否かを判断する（ステップＳ１６）。具体的には、操作部１１４に含まれる測定ボタンが押下されたか否かを判断する。測定開始の指示がなければ（ステップＳ１６においてＮＯ）、ステップＳ６に戻る。これにより、判断部１４および報知処理部１２による上記処理が繰返される。
【００６１】
なお、本実施の形態では、装着部位が推奨部位と一致していた場合でも、判断部１４による装着部位の判断を行なうこととしたが、一致していた場合には、測定開始の指示の入力待ち状態としてもよい。つまり、ステップＳ６の処理に戻らなくてもよい。一旦、どちらかの腕が挿入された後は、ステップＳ１４にて反対の腕を挿入するよう報知されない限り、反対の腕に装着しなおすことは考えにくいからである。
【００６２】
また、装着部位が推奨部位と一致していた場合には、装着部位が正しいことを報知してもよい。
【００６３】
ユーザより測定開始の指示が入力されると（ステップＳ１６にてＹＥＳ）、血圧の測定処理に移行する。測定処理部１６は、エアポンプ駆動回路１２４を駆動開始し、カフ圧を徐々に上昇させる加圧処理を行なう。徐々に加圧する過程において、血圧測定のための所定レベルにまでカフ圧が達すると、測定処理部１６はエアポンプ駆動回路１２４を停止する。
【００６４】
次に、測定処理部１６は、エアバルブ駆動回路１２５を制御することによりカフ圧を徐々に減圧させ（ステップＳ２０）、公知の手法により血圧（最高血圧、最低血圧）および脈拍数を算出する（ステップＳ２２）。具体的には、カフ圧が徐々に減圧する過程において、測定処理部１６は、Ａ／Ｄコンバータ１２７から得られる信号に基づき脈波情報を抽出する。そして、抽出された脈波情報により血圧を算出する。
【００６５】
なお、本実施の形態ではカフ圧の微速減圧過程において血圧を測定することとしたが、カフ圧の加圧過程において血圧を測定することとしてもよい。
【００６６】
血圧の測定が終了すると、格納処理部１８は、今回の被測定者の患者ＩＤと対応付けて、測定結果をメモリ１２９の結果記憶部１２９Ａに記録する（ステップＳ２４）。その際、測定された血圧データ（と脈拍数データ）と、部位の一致／不一致を識別するための情報とを対応付けて格納することが好ましい。
【００６７】
図７は、メモリ１２９内の結果記憶部１２９Ａのデータ構造の一例を示す図である。
図７を参照して、結果記憶部１２９Ａには、患者ＩＤごとに測定結果領域が設けられている。各測定結果領域には、１回の測定ごとの測定結果データＭ１〜Ｍｍ（ただし、ｍ＝１，２，３，…）が格納される。各測定結果データには、測定日時データＤＴ、最高血圧を示す最高血圧データＳＢＰ、最低血圧を示す最低血圧データＤＢＰ、脈拍数を示す脈拍数データＰＬＳ、および、部位の一致／不一致を示す識別フラグＦが含まれる。
【００６８】
識別フラグＦは、装着部位が推奨部位と一致していたか（適切な腕で測定されたか）否かを識別するための情報である。識別フラグＦは、たとえば、一致していた場合は“０”、一致していなかった場合に“１”を示す。
【００６９】
なお、測定値と識別フラグとは、対応付けされて格納されればよく、レコードを用いた格納形式に限定されるものではない。
【００７０】
本実施の形態では、推奨部位が報知され、かつ、装着部位が誤っていた場合には、正しい方の腕を挿入するよう報知されるが、必ずしも推奨部位で測定されるとは限らない。たとえば、装着すべき方の腕が怪我で測定に用いることができない場合などがあるからである。そのため、測定結果データに識別フラグＦを設けることで、後の診断に役立てることができる。
【００７１】
次に、出力制御部２０は、測定結果を表示部１１６に表示する（ステップＳ２６）。測定結果の表示例を図８に示す。
【００７２】
図８を参照して、表示部１１６の領域７１には、測定日時が表示される。測定日時は、たとえば、測定開始の指示が入力された時点に対応している。表示部１１６の領域７２，７３，７４には、それぞれ、図４のステップＳ２２で算出された最高血圧、最低血圧および脈拍数が表示される。
【００７３】
さらに、表示部１１６には、たとえば、部位が一致していた場合に塗り潰されるチェックボックス７５と、部位が一致していなかった場合に塗り潰されるチェックボックス７６が設けられる。これにより、表示中の測定結果が、装着部位と推奨部位とが一致していた状態のものかどうか（適切な条件下で測定されたかどうか）を、ユーザや医療従事者に知らせることができる。その結果、医療従事者は、測定結果が信頼できるものかどうかを容易に判断することができる。
【００７４】
なお、部位の一致／不一致が特定できればこのような例に限定されず、たとえば、不一致の場合にのみ所定のマークを表示してもよい。
【００７５】
また、出力制御部２０は、測定結果を印刷する際にも、部位の一致／不一致を特定するための情報（たとえば所定のマークなど）を印刷してもよい。
【００７６】
最後に、出力制御部２０は、複数回分の測定結果のトレンドを表示する（ステップＳ２８）。具体的には、出力制御部２０は、結果記憶部１２９Ａにおける対象の患者ＩＤの測定結果領域に記憶された複数の（たとえば直近の所定回数分の）測定結果データを読出す。そして、図９に示すようなトレンドグラフを表示する。図９は、トレンドの表示例を示す図である。
【００７７】
図９を参照して、表示部１１６には、縦軸に血圧（単位：ｍｍＨｇ），脈拍（単位：ｂｐｍ）、横軸に日付けをとるグラフが表示される。当該グラフには、測定日ごとに、最高血圧値の位置に最高血圧を表わすマーク９１、最低血圧値の位置に最低血圧を表わすマーク９２、および、脈拍数の位置に脈拍を表わすマーク９３が示される。そして、各測定結果データの識別フラグＦが“１”（不一致）の測定結果については、所定のマーク９４が、測定値のマーク９１，９２（，９３）と関連付けられて表示される。このようなマーク９４を表示することで、医療従事者が最高血圧および最低血圧の日ごとの変化を捉えるのに有用な情報を提供することができる。つまり、たとえば、ある測定日における最高血圧，最低血圧が異常な値を示していたとしても、マーク９４が付加された測定データであれば、装着部位の誤りによる誤差と判断することができる。
【００７８】
以上で、本実施の形態における血圧測定・記憶処理は終了される。
なお、図４のステップＳ２４，Ｓ２６，Ｓ２８の処理の実行順序は限定されない。
【００７９】
以上のように、本実施の形態によると、測定を開始する前に、推奨部位が報知されるため、被測定者は、どちらの腕を挿入すべきか迷うことがなくなる。また、いつでも、同じ腕で測定することができる。
【００８０】
また、実際に挿入された腕が推奨部位とは異なる場合には、反対の腕を挿入するよう報知される。これにより、誤って、推奨部位と異なる腕を挿入した場合でも、被測定者は、測定に適切な方の腕に挿入しなおすことができる。
【００８１】
ただし、測定の際の身体条件等（たとえば怪我）によって、推奨部位で測定できないことも考えられるため、本実施の形態の血圧計１００は、推奨部位とは異なる腕のままでも測定可能としている。そのため、測定値（最高血圧，最低血圧）と対応付けて識別フラグＦを記憶する。また、測定結果を出力する際に、推奨部位で測定された結果か否かを示す情報を出力する。これにより、医療従事者は、信頼できる結果かどうかなど容易に判断することができる。
【００８２】
特に、トレンドグラフに上述のようなマーク９４を表示することで、左右差がある患者の場合、血圧値の変化が何に起因しているのかどうかを容易に判断することができる。その結果、適切な診断および血圧管理をすることが可能となる。
【００８３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００８４】
【図１】本発明の実施の形態における血圧計を右斜め上方から見た場合の外観を示す斜視図である。
【図２】本発明の実施の形態における血圧計の構成を示すハードウェアブロック図である。
【図３】本発明の実施の形態における血圧計の機能構成を示す機能ブロック図である。
【図４】本発明の実施の形態における血圧計においてたとえば電源が投入された場合に実行される処理（血圧測定・記録処理）を示すフローチャートである。
【図５】図４のステップＳ４での推奨部位の表示例を示す図である。
【図６】図４のステップＳ１４での表示例を示す図である。
【図７】メモリ内の結果記憶部のデータ構造の一例を示す図である。
【図８】図４のステップＳ２６での測定結果の表示例を示す図である。
【図９】図４のステップＳ２８でのトレンドの表示例を示す図である。
【符号の説明】
【００８５】
１０  特定処理部、１２  報知処理部、１４  判断部、１６  測定処理部、１８  格納処理部、２０  出力制御部、１００  血圧計、１１０  本体部、１１２  本体部ケーシング、１１４  操作部、１１６  表示部、１１８  音声出力部、１２０  エア系、１２１  エアポンプ、１２２  エアバルブ、１２３  圧力センサ、１２４  エアポンプ駆動回路、１２５  エアバルブ駆動回路、１２６  増幅器、１２７  Ａ／Ｄコンバータ、１２８  ＣＰＵ、１２９  メモリ、１２９Ａ  結果記憶部、１３０  タイマ、１３２  電源部、１４０  生体挿入部、１４２  生体挿入部ケーシング、１４６  カフ、１４８  カフカバー、１５０  中空開口部、１５２  空気袋、１５４  エアチューブ、１６０  人体検出センサ、１６２  プリント部、２１０  カードリーダ、２１２  配線、２２０  ＩＤカード、１６４  入力Ｉ／Ｆ。
【図１】
2010119639.tif 000003
【図２】
2010119639.tif 000004
【図３】
2010119639.tif 000005
【図４】
2010119639.tif 000006
【図５】
2010119639.tif 000007
【図６】
2010119639.tif 000008
【図７】
2010119639.tif 000009
【図８】
2010119639.tif 000010
【図９】
2010119639.tif 000011